(57)【要約】      （修正有）【課題】介護人にとって着せやすく患者にとって負担の少ないパジャマを提供する。【解決手段】ロは、肩の部分に面ファスナーで前肩には凸を縫い、後肩には凹を縫い止めることでの両肩を開閉可能、同時に左右どちらか一方に於いては、イｂ、トｂの両方へオープンファスナーを配すことで全面開閉可能。Ｄは、拡大図で、左右のもう一方イａ、トａには肩先から袖口のみオープンファスナーをあしらい腋下から袖口までを縫う事で前後の身頃布が、袖下でつながり、一枚布となる。肩から袖ぐりに沿って脇下までを全部縫わずに２〜３センチ縫い合わせず、患者の体温を常時計ることを、想定して作成し、袖口は、一応、普段寝ている状態では袖口幅ほど広げることが可能である。２段階目としては、全開放も可能だが、別の視点からみると、パジャマ布でかぶせている中にウェストゴムと縫い合わせた面ファスナーを配している部分の袖口を絞り込むと、自由に袖口が上下に移動ができる。【選択図】図２
0003147216.tif 000002
【実用新案登録請求の範囲】
【請求項１】
上着とズボンとを備えたセパレーツの医療介護用パジャマであって、
上記上着は、前後身頃と、左右一対の袖とを有し、後身頃には、両脇には、それぞれ脇布片が取り着けられ、その脇布片は、お腹の中心部を、覆うように装着可能とされ、一対の袖のいずれか一方は、その上下がオープンファスナーで肩先及び脇の下から
袖口に向かって開閉可能であり、残りの他方の袖は、肩先から袖口にのみオープンファスナーで開閉可能であり前身頃は、後身頃と脇布片とで形成された両脇の面ファスナーで装着され、両肩とも面ファスナーで開閉可能ゆえに、全面開放すると1枚のつながった前後身頃の布にまで開くことが可能で、上記ズボンは、前ズボンと後ズボンとで構成され、前ズボンと後ズボンとは、股下部のみでつながり、１対のオープンファスナーで前ズボンと、後ズボンとは、腰線からくるぶしの長さまで開閉可能とされ、股下部のみの部分を残すことで、やはりズボンも全面開放すると１枚のつながった前後ズボンの布片にまで開くことが可能である医療用介護パジャマ。
【請求項２】
上記請求項１に於いて、上記一対の袖の、各袖口は、ウエストゴムの先端に面ファスナーを縫付けてある絞り紐で絞られ絞り紐は、面ファスナーによって装着できると共に、上記ズボンの一対の裾は、同じく  絞り紐は装着され絞り紐の上を布で覆われている請求項１に記載の医療介護用パジャマ。
【請求項３】
上記請求項１に於いて、上記一対の袖の、各袖口は、ウエストゴムの先端に面ファスナーを縫付けてある絞り紐で絞られ絞り紐は、面ファスナーによって装着できると共に、上記ズボンの一対の裾は、同じく  絞り紐は装着され絞り紐の上を布で覆われている請求項１に記載の医療介護用パジャマ。
【考案の詳細な説明】
【技術分野】
【０００１】
本考案は、医療の現場及び在宅医療で使用される患者用パジャマに関する。
【背景技術】
【０００２】
従来、特許文献1、２、３、に示すように、  医療現場で使用されている寝巻、パジャマには患者の気持ちと病気に対する配慮のない欠点が多種多様に亘り見受けられる。たとえばツナギ様のパジャマでは大人は、赤ん坊と違うので排泄物が多いため洩らした場合、上下がつながっているツナギ風だと全部着替えることになり脱着が困難な患者には負担増。スナップで改良しているパジャマは、体を移動するたびに起る外れる心配など、患者自身の行動を阻む場合あり、本当に患者にとって着易く介護する者の身になって作成されているとは、いいがたい。いままでの寝巻およびパジャマが寝たきりの高齢者及び身体障害及び病気の方々の身になって作成されたかどうか疑問に思える。たとえば内側の足首から又上にかけてオープンファスナーを配したズボンは、小水が漏れるとファスナーがスムースに動きにくい。それぞれのデメリットの部分が患者にとって負担大とすればその問題点に着目して患者と介護人にとって着せやすく体に負担の少ない着替負担軽減パジャマ、医療に於いて部分診療が受けられるパジャマ、患者は、ベットに寝たまま、介護人が簡単に着替が出来るパジャマを提供し且つ、デザインも重視して作成した上下別々の巻き止めセパレートタイプで寝たきり患者及び医療患者に、介助手助けしやすい特長を有する。
【特許文献１】特開２００７−９３８５
【特許文献２】実案第３１０７３３４
【特許文献３】特開２００６−７０３７９
【考案の開示】
【考案が解決しようとする課題】
【０００３】
まず部分診療で患者に心身ともに負担を軽減して、リラックス状態を保ちストレスを減少
するとα波長の増加により、病気の快復への一端となる。なぜなら病着は、患者にとって
外出着であり、室内着であり、リラックスを保つ精神安定剤の役割も成すとしたら、いかに病着が担う役割が大切で、単に着ている事で今までの概念から逸脱して、一味違うパジャマで男女の区別無しの兼用が特徴、上着は、襟無し、前面開閉のボタン無し、両脇に面ファスナーを配することで両脇開閉を可能したことで女性の胸をカバーし、部分診療もしやすく、ズボンの内側にオープンファスナーをつけるのではなく、あくまで
身体の外側にオープンファスナーを２本配することでズボンの便利性を強調し、身体の中心部には、あくまでやさしく面ファスナーで補い２種類のファスナーをうまくコラボレーションすることで、患者の膠着した身体をやさしく包み、部分診療を受けられ、手足をゴムプラス面ファソナーで止めることで寒さをシャットアウトすることも可能である。
【０００４】
本考案の課題は、着替えがしやすく体の一部（病気）の部分のみ診療を受ける事が出来ることは患者にとって羞恥心とストレスが軽減され、患者及び介護を受ける者も、介護する側にとっても着替えさせやすい、患者自身が、トイレに立つて、自分で用をたすことも簡単であり、又寝たきり（患者）の方の着替えを簡単にスムーズに手伝え、体にやさしい思いやりの形が反映したパジャマで、患者側に立ってみると運動不足、病気のため思うように着替えがしにくい、手足が袖に通りにくい、動作しにくい部分を踏まえ簡単で素早く脱着させやすいことと患者に病気以外で負担を掛けないことを、課題として作成。
【課題を解決するための手段】
【０００５】
上記のことを、解決するため部分開放と、上下とも全面開放をも可能、パジャマの上着は、肩には面ファスナー、袖の一方へは袖山から袖口と脇から袖口までにオープンファスナーを使用、ズボンのウェスト部分は、前後にウエスト芯とゴムと面ファスナーの三位一体型にすることで腰の部分への定着が出来、脇を２本のオープンファスナーを使用することで寝たきり患者の着替にスピーディに対処、そのため患者及びそのことに携わる方々により簡単な着脱とその方（患者）の体型に添うパジャマを形にしました。具体的には、請求項１に示すように実用新案請求の範囲「上着とズボンとを備えたセパレーツの医療介護用パジャマであって、上記上着は、前後身頃と、左右一対の袖とを有し、後身頃には、両脇には、それぞれ脇布片が取り着けられ、その脇布片は、お腹の中心部を、覆うように装着可能とされ、一対の袖のいずれか一方は、その上下がオープンファスナーで肩先及び脇の下から
袖口に向かって開閉可能であり、残りの他方の袖は、肩先から袖口にのみオープンファスナーで開閉可能であり前身頃は、後身頃と脇布片とで形成された両脇の面ファスナーで装着され、両肩とも面ファスナーで開閉可能ゆえに、全面開放すると1枚のつながった前後身頃の布にまで開くことが可能で、上記ズボンは、前ズボンと後ズボンとで構成され、前ズボンと後ズボンとは、股下部のみでつながり、１対のオープンファスナーで前ズボンと、後ズボンとは、腰線からくるぶしの長さまで開閉可能とされ、股下部のみの部分を残すことで、やはりズボンも全面開放すると１枚のつながった前後ズボンの布片にまで開くことが可能である医療用介護パジャマ」である。又請求項２に示すように「上記請求項１に於いて、上記一対の袖の、各袖口は、ウエストゴムの先端に面ファスナーを縫付けてある絞り紐で絞られ絞り紐は、面ファスナーによって装着できると共に、上記ズボンの一対の裾は、同じく  絞り紐は装着され絞り紐の上を布で覆われている請求項１に記載の医療介護用パジャマ」である。さらに請求項３に示すように「上記請求項１に於いて、上記一対の袖の、各袖口は、ウエストゴムの先端に面ファスナーを縫付けてある絞り紐で絞られ絞り紐は、面ファスナーによって装着できると共に、上記ズボンの一対の裾は、同じく  絞り紐は装着され絞り紐の上を布で覆われている請求項１に記載の医療介護用パジャマ」である。
【考案の効果】
【０００６】
患者にとって毎日着る日常着であるがゆえ、着易い、肌に密着している部分が大なので
１日の１/2以上のベット生活に潤いをもたらせ、その時間空間を気持ちよいものにし、心のケアと、外的ケアの安易さをもたらすと同時に部分診療の受けやすさも、患者本人は、痛感するはずである。
【考案を実施するための最良の形態】
【０００７】
図１の部分で身体は、左右対称であるために洋裁製図は常に身体図は半分で描く。（ロ）は、肩の部分に面ファスナーで前肩には凸を縫い、後肩には凹を縫い止めることでの両肩を開閉可能、同時に左右どちらか一方に於いては、（イｂ）（トｂ）の両方へオープンファスナーを配すことで全面開閉可能（D）は、拡大図で、左右のもう一方（イa）（トa）には肩先から袖口のみオープンファスナーをあしらい腋下から袖口までを縫う事で前後の身頃布が、袖下でつながり、一枚布となるし、肩から袖ぐりに沿って脇下までを全部縫わずに２〜３センチ縫い合わせず、患者の体温を常時計ることを、想定して作成し、袖口（ホa）の部分の拡大図は、一応、普段寝ている状態では袖口幅ほど広げるほど可能であり、２段階目としては、全開放も可能だが、別の視点からみると、もうひとつ付録つきで、パジャマ布でかぶせている中にウェストゴムと縫い合わせた面ファスナーを配している部分（ホa）の袖口（Q）を絞り込むと、自由に袖口が上下に移動ができることは他のパジャマには、ない点が特徴といえる。前身頃の脇（ハa）に丸みを持たせ、合わせ部分（ハa）前身頃凸と（ハ）後身頃凹に両面ファソナーで止める。お腹の所の前身頃（Y）には、前中心（ニ）より下に向かって丸みゾーンほどプラスしてゆるみをもたせ、前身頃に余裕を保つことで体に窮屈感がなく安心を生み出すと共に妊婦や、メタボの患者、障害者、術後の患者、その他それぞれの分野の患者に最適。又、図２の後身頃脇から張り出しの布の上部に取り付けた（へ）両面ファソナー凹、凸を重ね合すと前のお腹の真ん中で止めることで十二分な余裕がとれ、前身頃の脇（ハa）と（X）後身頃の脇（ハ）を装着すれば前後の身頃のウエスト回りの格差を補い、逆に細い身体の人は、（へ）の部分を十分に合わせることで調節して前身頃を上からかぶせると全体的にバランスがとれ前の部分で両面ファソナーで弛みをもたせることでベルトの調節ができる（へ）は大変重要な役割をはたしている。
【０００８】
図３で（１）前ズボンの特徴は男女兼用のため男性用の前チャックを省き、図５のズボンの部分へ着目するとA・B・Cのウェストの部分の面ファソナーを取り外すことで、男女共に便所での、用を足す事ができる。男性の場合前の面ファスナーをはずして下にたらし（この場合後ズボンは、腰で前部分に凸、凹と重なって止まっている）用を足すことが可能。女性の場合、やはり前ズボンの下に、（２）後ズボンから回しかけて前で面ファソナー止めている所と、前ズボンも、ずらして用たす。尚、図３・図４に関してウエスト部分解説のため出来上がりでは布で覆い隠れている部分をあえて剥き出し説明した。図４の拡大図は、両脇ズボンの部分で、足首から腰までは、オープンファスナー１本での介護作業効率が悪いため拡大図G（１a）（１A）裾と脇太ももの両方から開放ファソナーで上下より中央に向かって１本とその途中から２本目を縫いこむ、やはり同じく拡大図H（１ｂ）（１B）も裾と脇太ももの位置の両方から開放するためオープンファスナーで上下より中央に向かって１本とその途中から２本目を縫いこむことで患者自身の使いこなし方で色々と便利に重宝である。これは、術後、患者は蓄尿袋を装着せざることも想定して、中央が開閉可能であり必要とされるためと、部分診療が可能とを、兼ねている。（１）と（２）を縫い合わせた内股の内裾から図１の袖と同様に３〜５センチの部分にゴム付面ファソナーを配し裾口を閉めることは、前（袖の部分で説明）と同様に裾をゴムと面ファソナーで調節すれば、手洗いや廊下の裾引きなどで、不清潔になることは避けられ、このようなことは、患者にとってはあってはならないことであり、衛生的で同時に寒さ対策にもなり、自分の足の長さ調節できることはいままでのパジャマでは、ありえないことである。尚  布地に関しては、シルク、綿、ウール、化繊、ニット、ネルなど、どのような生地にも、対応可能である。
【０００９】
図５・図６・図７・図８に関しては、パジャマを装着し、パジャマを分解し部分診療を受けることのできる状態が展開図を通して、いかに簡単であるかを解説してみたものである。
【００１０】
本考案を、以下の実施例を用いて更に具体的に説明するが、本考案は以下の実施例に制限されるものではない
【図面の簡単な説明】
【００１１】
【図１】この考案の実行例で前身頃の半分を示す図である。
【図２】後身頃の半分を示す図である。
【図３】この考案の実行例で前ズボンの左右を示す図である。
【図４】後ズボンの左右を示す図である。
【図５】上着を開き前ズボンを下へ降ろして腰まで全開した図である。
【図６】上着を開き前ズボンを全開しさらに後ズボンのマジックテープ          もはずした図である。
【図７】上着の肩のマジックテープをはずしさらにオープンファスナーを半分まで開いた          図である。
【図８】上下ズボンを全開しズボンの裾からオープンファスナーを開きつつある図で          ある。
【符号の説明】
【００１２】
Y  前身頃
X  後身頃
・  前ズボン  内股
・  後ズボン  内股
イa  イb袖山から袖先
・  肩
ハa  ハ脇マジックテープ
・  前ゆとり部分
ホa  ホb袖口
トa  トｂ袖下
ヘ  前身頃の内側のマジックテープ
D  肩先から袖口までのオープンファスナーの拡大図
・  ウエスト芯
・  ウエストゴム
・  マジックテープ
１a  １A  前後右脇
１ｂ  １B  前後左脇
Q  袖口拡大図
G  H  左右前後ズボンの脇部分の拡大図
【図１】
0003147216.tif 000003
【図２】
0003147216.tif 000004
【図３】
0003147216.tif 000005
【図４】
0003147216.tif 000006
【図５】
0003147216.tif 000007
【図６】
0003147216.tif 000008
【図７】
0003147216.tif 000009
【図８】
0003147216.tif 000010